(57)【要約】【課題】アラームを表示すべき場所やイベントに特有の特定音を検知し、所定のアラーム表示機能を自動的に起動する携帯端末を提供する。【解決手段】自携帯端末に入力する特定音に応じて所定の情報を表示またはアラームする携帯端末であって、アラームに係る所定の機能と対応付けて登録する特定音情報登録手段と、自携帯端末の近傍からの周囲音を連続的または定期的に入力し、入力した周囲音の信号を解析し、特定音情報登録手段に登録されている特定音情報のいずれかに対応する信号が含まれているか否かを検知する特定音検知手段と、を有し、検知した特定音に応じて所定のアラーム機能を起動する。【選択図】図１
2016152572.tif 000002
【特許請求の範囲】
【請求項１】
自携帯端末に入力する特定音に応じて所定の情報を表示またはアラームする携帯端末であって、
予め定められた特定操作が為された場合に、自携帯端末の近傍からの周囲音を入力し、前記入力した周囲音の信号の一部または全てに係る情報を特定音情報として、アラームに係る所定の機能と対応付けて登録する特定音情報登録手段と、
自携帯端末の近傍からの周囲音を連続的または定期的に入力し、前記入力した周囲音の信号を解析し、前記特定音情報登録手段に登録されている特定音情報のいずれかに対応する信号が含まれているか否かを検知する特定音検知手段と、を有し、
前記特定音検知手段が前記入力した周囲音の信号に前記特定音情報登録手段に登録されている特定音情報のいずれかに対応する信号が含まれていることを検知した場合に、当該特定音情報に対応するアラームに係る機能を起動することを特徴とする特定音アラーム機能を有する携帯端末。
【発明の詳細な説明】
【技術分野】
【０００１】
本発明は、携帯電話機，モバイルコンピュータ，携帯情報機器等の携帯端末に関する。特に、周囲からの特定音に対してアラームを表示する携帯端末に関する。
【背景技術】
【０００２】
例えば、列車やバスの車内において、ヘッドホンで音楽を聴きながら、または本や雑誌を読みながら移動する際、音楽鑑賞や読書に没頭し、降車すべき駅に到着したことに気付かずに乗り過ごすことがある。このような事態を防止するには、携帯電話機等のアラーム表示機能（アラームランプの点滅，アラーム音の鳴動，バイブレータ振動等）を予めセットしておくことが効果的であるが、アラーム機能をセットすること自体を忘れることも多い。従って、事前のセットなしに、そのようなアラーム表示機能が自動的に起動されることが望ましい。
【０００３】
ところで、駅には、駅特有の音情報がある。例えば、列車の発車や到着の際に鳴動するプラットホームのベル音や、その駅特有のメロディ音がある。さらに、列車の発車や到着の際には、「間もなく○○駅に到着します」等の当該列車内の放送音もある。従って、音声認識技術を駆使し、周囲音から場所やイベントに係る特定音を自動的に検知し、その場所やイベント毎のアラームに係る機能を自動的に起動することが考えられる。
【０００４】
周囲からの特定音声を検知する技術として、特許文献１には、通話中に周囲の人物から呼ばれた場合に、そのことを通話中の者に通知する技術が記載されている。しかしながら、この技術は、上述した乗り過ごし防止等の種々の状況に対するアラームは想定していない。
【先行技術文献】
【特許文献】
【０００５】
【特許文献１】特開２００４−２６０７５４号公報
【発明の概要】
【発明が解決しようとする課題】
【０００６】
そこで、本発明の課題は、アラームを表示すべき場所やイベントに特有の特定音を検知し、所定のアラーム表示機能を自動的に起動する携帯端末を提供することにある。
【課題を解決するための手段】
【０００７】
上記課題を解決するために、本発明は、自携帯端末に入力する特定音に応じて所定の情報を表示またはアラームする携帯端末であって、予め定められた特定操作が為された場合に、自携帯端末の近傍からの周囲音を入力し、前記入力した周囲音の信号の一部または全てに係る情報を特定音情報として、アラームに係る所定の機能と対応付けて登録する特定音情報登録手段と、自携帯端末の近傍からの周囲音を連続的または定期的に入力し、前記入力した周囲音の信号を解析し、前記特定音情報登録手段に登録されている特定音情報のいずれかに対応する信号が含まれているか否かを検知する特定音検知手段と、を有し、前記特定音検知手段が前記入力した周囲音の信号に前記特定音情報登録手段に登録されている特定音情報のいずれかに対応する信号が含まれていることを検知した場合に、当該特定音情報に対応するアラームに係る機能を起動することを特徴とする。
【発明の効果】
【０００８】
本発明によれば、自端末が存在する場所の周囲音から、アラームを表示すべき場所やイベントに特有の特定音を検知し、アラームに係る所定の機能を自動的に起動する携帯端末を提供できる。
【０００９】
特に、本端末の利用者が、種々の特定音と複数のアラーム表示機能を自由に対応付けて登録しておけるので、例えば、その利用者がよく利用する駅の降車時の特定音や車内放送で流れる特定音を予め登録しておけば、本端末が降車駅への到着を自動的に検知してアラーム機能を起動することができ、時間による一般的なアラーム機能のセットを忘れている場合でも、乗り過ごしの可能性を軽減できる。
【００１０】
しかも、特定音に応じて任意のアラーム表示機能を対応付けられるので、例えば、列車内で発生する特定音に対しては、バイブレータ振動やアラームランプ点滅等の鳴動音を伴わない、即ち、周囲の人に迷惑を掛けないアラーム表示機能を選択的に起動することもできる。
【図面の簡単な説明】
【００１１】
【図１】本発明による携帯端末の内部ブロック構成図
【図２】検出する特定音とそれによる表示情報の例
【図３】本発明による携帯端末の動作フローチャート図
【発明を実施するための形態】
【００１２】
以下、乗り過ごし防止のための降車駅到着アラームを例に、本発明による携帯端末（以下、本端末と略す）について、図面を用いて説明する。
【００１３】
図１は、本端末１の内部ブロック構成図である。本端末１は、端末制御部１０、情報登録部１１、音情報比較処理部１２、操作部１３、音入力部１４、表示部１５、音声再生部１６、アラーム部１７から構成される。
【００１４】
本端末１は、乗り過ごし防止のための専用端末であってもよいし、携帯電話機，モバイルコンピュータ，電子ブック，ゲーム機等の種々の携帯端末と一体化された端末であってもよい。
【００１５】
端末制御部１０は、情報登録部１１，音情報比較処理部１２，操作部１３，音入力部１４，表示部１５，音声再生部１６，アラーム部１７と各種データを授受し、本端末１の全体を制御する手段である。
【００１６】
情報登録部１１は、乗り降りする各駅で発生する特定音情報（発車ベル音や連呼する駅名等）と、本端末１が前記特定音情報を検出した場合のアラーム表示情報を、予め関連付けて登録しておく手段である。この特定音情報は、本端末１を携帯する者が、操作部１３を操作して所望の音を録音した後、操作部１３を操作して特定音部分を指定し、所望のアラーム表示情報と関連付けて登録すればよい。
【００１７】
アラーム表示情報は、表示部１５への表示内容（例えば、「降車駅に到着」の表示）、アラーム部１７によるアラームランプの点滅やアラーム音の鳴動、音声再生部１６によるアラーム音声情報の再生のいずれか１以上である。なお、表示部１５への表示内容は、操作部１３を操作して自由に編集できる。
【００１８】
アラーム表示情報は日時により選択される内容であってもよい。例えば、自宅の最寄駅の特定音が登録されている状態で、出勤の通勤時間帯にその特定音を検知した場合は、出勤途中と判断して、いつも通り／いつもより遅れている／いつもより早い等の通過時刻に係る情報を表示し、出勤の通勤時間帯以外にその特定音を検知した場合は、帰宅途中と判断して、降車を促すアラーム表示機能を起動するようにしてもよい。
【００１９】
音情報比較処理部１２は、端末制御部１０からの指示に応じて、音入力部１４から入力した周囲音と情報登録部１１に登録されている特定音情報とを比較する手段である。音入力部１４から入力した周囲音に、情報登録部１１に登録されているいずれかの特定音が含まれていることを検知すると、その旨を端末制御部１０へ通知する。なお、周囲音と特定音の比較は、音の周波数スペクトラムを対比し、その類似性をチェックすればよい。
【００２０】
操作部１３は、本端末１を携帯する者が本端末１を操作する、テンキーやファンクションキーであり、入力された操作内容を端末制御部１０へ通知する。なお、操作部１３は、本端末１の機能を統合した携帯電話機，モバイルコンピュータ，電子ブック，ゲーム機等の種々の携帯端末が備えている入力デバイス（例えば、表示部１５と一体化されたタブレットデバイス）であってもよい。
【００２１】
音入力部１４は、本端末１の周囲で発生している周囲音を、電気信号に変換するマイクを含む音入力手段であって、電気信号に変換された周囲音の信号は端末制御部１０および音情報比較処理部１２へ出力される。音入力部１４は、本端末１の機能を統合した携帯電話機等が備えているマイクであってもよい。
【００２２】
表示部１５は、端末制御部１０からの指示に応じて、文字，画像等を表示する手段（例えば、ＬＣＤ等の平面ディスプレイ）であり、アラーム内容や操作説明に係る文字や画像を表示する。表示部１５は、本端末１の機能を統合した携帯電話機，モバイルコンピュータ，電子ブック，ゲーム機等の種々の携帯端末が備えている表示デバイスであってもよい。
【００２３】
音声再生部１６は、端末制御部１０からの指示に応じて、音声信号を再生するスピーカを含む出力手段であり、例えば、アラームメッセージを音声再生する。音声再生部１６は、本端末１の機能を統合した携帯電話機，モバイルコンピュータ，ゲーム機等の種々の携帯端末が備えているスピーカであってもよい。
【００２４】
アラーム部１７は、端末制御部１０からの指示に応じて、ブザー，ＬＥＤ，バイブレータ等の、本端末１を携帯する者へのアラームを通知する手段である。アラーム部１７は、本端末１の機能を統合した携帯電話機，モバイルコンピュータ，電子ブック，ゲーム機等の種々の携帯端末が備えているブザー，ＬＥＤ，バイブレータ等であってもよい。
【００２５】
図２は、検出する特定音とそれによる表示情報の例である。列２００は特定音を識別する識別ＩＤ、列２０１は、特定音を抽出した音源の例、列２０２は、各特定音に対応して起動する機能、列２０３は、各特定音に対応して表示部１５に表示する表示情報、列２０４は、各特定音に対応するアラーム部１７のアラーム内容を示している。
【００２６】
例えば、特定音２の例は、搭乗する列車の車内放送で流れる「“Ｘ駅”に到着しました」に含まれる隣接駅名“Ｘ駅”を検知した場合に、降車駅到着アラーム機能（近接）を起動し、「次は降車駅」を表示し、アラーム点灯することを示している。また、特定音４の例は、搭乗する列車の車内放送で流れる特定メロディを検知した場合に、そのメロディに続く車内放送（例えば、到着遅れ情報）の録音を自動起動し、録音した旨とその時間を表示することを示している。
【００２７】
図３は、図２に示した特定音情報に対応する処理に関する、本端末１の動作フローチャートの例である。以下、図１，図２も併用して本端末１の動作フローについて説明する。本フローは電源が投入された状態でスタートする（Ｓ３００）。
【００２８】
待機状態において、端末制御部１０は、Ｓ３０１，Ｓ３０２の各ＮＯを巡回し、特定音監視開始の有無（Ｓ３０１）および特定操作の有無（Ｓ３０２）の各イベントの発生を監視している。
【００２９】
Ｓ３０２において、特定操作（例えば、テンキーで＃０を押下）があった場合（Ｓ３０２，ＹＥＳ）、端末制御部１０は、音入力部１４を制御して一定時間分の周囲音を入力し、入力した周囲音の特定部分を特定音として、操作者が要求（操作部１３で指定）する所望の機能と対応付けて情報登録部１１に登録し、Ｓ３０１へ戻る。なお、入力した周囲音の特定部分（特定音）は、後からトリミングして編集すればよい（図示せず）。このＳ３０３の処理を繰り返して、必要な特定音を予め登録する。
【００３０】
Ｓ３０１において、操作部１３から特定音の監視を開始する操作（例えば、テンキーで＃１を押下）があった場合（Ｓ３０１，ＹＥＳ）、端末制御部１０は、一定時間分（例えば、１０秒）の周囲音を音入力部１４から入力し、入力した周囲音を音情報比較処理部１２へ出力する。そして、音情報比較処理部１２は入力した周囲音を解析し、情報登録部１１に登録されている各特定音と対比し（Ｓ３１０）、Ｓ３２０以降へ進み、特定音１の有無（Ｓ３２０），特定音２の有無（Ｓ３３０），特定音３の有無（Ｓ３４０），特定音４の有無（Ｓ３５０），その他の特定音の有無（Ｓ３６０）を監視、いずれもＮＯで、特定音監視の終了操作が無ければ（Ｓ３７０，ＮＯ）Ｓ３１０へ戻って、Ｓ３１０〜Ｓ３７０のループを繰り返す。
【００３１】
ここで、Ｓ３１０〜Ｓ３７０のループを循環する周期が短時間（例えば、０．１秒以下）であれば、Ｓ３１０で入力し損なう周囲音は軽微であり、特段の支障はないが、入力し損なう周囲音を皆無にするには、周囲音の入力と、Ｓ３１０〜Ｓ３７０の処理を並行して実行すればよい（図示せず）。
【００３２】
Ｓ３２０において、他の駅の特定音を検知していない状態で、特定音１（発車ベル）を検知した場合（Ｓ３２０，ＹＥＳ）、これから列車でどこかへ向かうことを推定できるので、端末制御部１０は、降車駅および隣接駅の名称の入力を促す画面を表示部１５へ表示し、本端末１を携帯する者に対して、降車駅および隣接駅の名称等を操作部１３から入力させる。そして、端末制御部１０は、入力された降車駅と隣接駅の名称を情報登録部１１に記憶し（Ｓ３２１）、Ｓ３１０へ戻る。
【００３３】
なお、Ｓ３１０〜Ｓ３７０を高速に繰り返す中で、同一の特定音を何度も検知する可能性があるので、同一の特定音の検知は、例えば、最初の１回目の検知のみ、または一定時間毎の１回目の検知のみ有効とすればよい（図示せず）。
【００３４】
また、特定音１が日常的に利用している駅（例えば、自宅の最寄駅や通勤先の駅）で、その駅（乗車）に対応する降車駅やその隣接駅が登録されている場合、Ｓ３２１を省略してもよい（図示せず）。
【００３５】
Ｓ３３０において、特定音２（隣接駅名）を検知した場合（Ｓ３３０，ＹＥＳ）、端末制御部１０は、本端末１を携帯する者へ、例えば、「次は降車駅」等の降車駅が近付いたことの情報を表示部１５に表示すると共に、アラーム部１７を制御して、赤色ＬＥＤ点灯，バイブレータ振動等でアラームし（Ｓ３３１）、Ｓ３４０へ進む。
【００３６】
なお、情報登録部１１に降車駅の隣接駅情報が登録されていなければ、Ｓ３３０のステップはスルーとなる（Ｓ３３０，ＮＯ）。
【００３７】
Ｓ３４０において、特定音３（降車駅名）を検知した場合（Ｓ３４０，ＹＥＳ）、端末制御部１０は、本端末１を携帯する者へ降車駅到着を通知するために、「降車駅に到着」等を表示部１５に表示し、アラーム部１７を制御して、赤色ＬＥＤ点滅，バイブレータ振動等でアラームし（Ｓ３４１）、Ｓ３５０へ進む。
【００３８】
Ｓ３５０において、特定音４（特定メロディ）を検知した場合（Ｓ３５０，ＹＥＳ）、搭乗する列車の車内放送で流れるメロディに続く車内放送（例えば、到着遅れ情報）の録音を自動起動／自動停止し（Ｓ３５１）、車内放送を録音した旨と録音した時間を表示部１５に表示し、Ｓ３６０へ進む。なお、録音を自動起動した後の、録音の停止は、例えば、一定時間以上の無音状態を検知した時に自動停止すればよい（図示せず）。
【００３９】
Ｓ３６０において、その他の特定音を検知した場合（Ｓ３６０，ＹＥＳ）、端末制御部１０は、情報登録部１１に  特定音と対応付けて登録されている対応機能を起動し（Ｓ３６１）、Ｓ３７０へ進む。なお、その他の特定音は、本端末１を携帯する者が、任意の音（例えば、駅弁売りが発する“弁当〜”）とそれを検知した時の表示内容（例えば、「駅弁販売中」）を自由に登録可能である。
【００４０】
Ｓ３７０において、操作部１３から特定音の監視を終了する操作（例えば、テンキーで＃２を押下）があった場合（Ｓ３７０，ＹＥＳ）、端末制御部１０は、起動した各機能を停止し（Ｓ３７１）、本フローは終了する（Ｓ３７２）。Ｓ３７０でＮＯであれば、Ｓ３１０へ戻る。
【００４１】
以上のＳ３１０〜Ｓ３７０のフローは、図２の例に沿ったものだが、これは、本端末１の動作例を分かり易く説明するためであって、図２の例に限定されない。実際には、Ｓ３２０〜Ｓ３６０の特定音検知の判断ＢＯＸは一つであって、特定音を検知した場合には、検知した特定音に対応する機能を起動するという、単純なフローである。即ち、任意の音源から抽出した任意の特定音と、それを検知した時の任意の表示内容を、任意の数だけ自由に登録可能である。
【００４２】
以上説明した通り、本発明によれば、自端末が存在する場所の周囲音から、アラームを表示すべき場所やイベントに特有の特定音を検知し、アラームに係る所定の機能を自動的に起動し、乗り過ごし等を防止するという効果がある。
【００４３】
なお、特定音として駅や列車内の音を例に説明したが、特定音と表示情報が対応していれば、乗り過ごし防止の用途以外にも、種々の応用が可能である。例えば、病院，銀行，店等の待合室における順番待ちにおいて、名前の呼び出しや番号札の番号呼び出し等の聞き漏らし防止の用途にも応用可能である。また、ショッピングモールにおける各店舗のバーゲンセールの割引率（○○％ＯＦＦ等）の呼びかけ等の聞き漏らし防止の用途にも応用可能である。
【符号の説明】
【００４４】
１・・・携帯端末
１０・・・端末制御部
１１・・・情報登録部
１２・・・音情報比較処理部
１３・・・操作部
１４・・・音入力部
１５・・・表示部
１６・・・音声再生部
１７・・・アラーム部
【図１】
2016152572.tif 000003
【図２】
2016152572.tif 000004
【図３】
2016152572.tif 000005